(57)【要約】【課題】待機時における剥離部材の温度上昇を抑制して紙ジャムが起こりにくい定着装置を提供する。【解決手段】加熱部材６０を内蔵し、回転駆動される定着ローラ６１と、定着ローラ６１に圧接されて回転する加圧ローラ６２と、定着ローラ６１に対し近接して設けられ、定着ローラと加圧ローラとの圧接部Ｎを通過してきたシート状の記録媒体を定着ローラの表面から剥離して案内する剥離部材７０とを有し、定着ローラに内蔵された加熱部材６０が、定着ローラ６１内において、定着ローラ６１の中心Ｏよりも、剥離部材７０から遠ざかる側に偏倚して設けられている。【選択図】        図１
2004184456.tif 000002
【特許請求の範囲】
【請求項１】
加熱部材を内蔵した定着ローラと、この定着ローラに圧接されて回転する加圧ローラと、前記定着ローラに対して設けられ、定着ローラと加圧ローラとの圧接部を通過してきたシート状の記録媒体を前記定着ローラの表面から剥離して案内する剥離部材とを有する装置であって、
前記定着ローラに内蔵された加熱部材が、前記定着ローラ内において、当該定着ローラの中心よりも、前記剥離部材から遠ざかる側に偏倚して設けられていることを特徴とする定着装置。
【発明の詳細な説明】
【０００１】
【発明の属する技術分野】
本発明は、電子写真技術を用いて画像を形成するプリンター、ファクシミリ、複写機等の画像形成装置に用いられる定着装置に関する。特に、その定着ローラの改良技術に関するものである。
【０００２】
【従来の技術】
一般に、電子写真技術を用いた画像形成装置は、外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段と、この現像手段により現像されたトナー像を転写対象である用紙等のシート状記録媒体に転写させる転写手段と、この転写手段によりトナー像が転写された記録媒体上にそのトナー像を定着させる定着装置とを有している。
定着装置は、加熱部材が内蔵され、回転駆動される定着ローラと、この定着ローラに圧接されて回転する加圧ローラとを有しており、これら定着ローラと加圧ローラとの圧接部に記録媒体を通しながら加熱することでトナーを記録媒体上に溶融定着させるようになっている。
また、トナー像が形成された記録媒体の面は、トナーによる接着作用で定着ローラに貼り付きやすいことから、定着ローラに対して、前記圧接部を通過してきたシート状の記録媒体をその表面から剥離しかつ案内する剥離部材を備えている。
【０００３】
従来の定着装置としては、加熱部材であるヒータ２を内蔵し、回転駆動される定着ローラ１と、この定着ローラ１に圧接されて回転する加圧ローラ６と、定着ローラ１に対して設けられ、定着ローラと加圧ローラ６との圧接部Ｎを通過してきたシート状の記録媒体Ｐを定着ローラ１の表面から剥離させかつ案内する剥離部材（剥離シート７）とを有しているものが知られており、加熱部材であるヒータ２は、定着ローラ１の中心に配置されている（例えば、特許文献１参照）。
また、定着ローラ１に２つのヒータ３が内蔵されたものも知られているが、それらヒータ３の全体としての中心は、やはり定着ローラ１の中心に配置されている（例えば、特許文献２参照）。
【０００４】
【特許文献１】
特開平１１−１８４３００号公報（第１図）
【特許文献２】
特開昭５３−８１２４１号公報（第１図）
【０００５】
【発明が解決しようとする課題】
一般に、定着装置は、非定着動作時においても加熱部材で定着ローラを高温（定着可能な温度）に維持しておくことは電力の無駄であることから、非定着動作時である待機時には、定着ローラを低温に維持しておき、定着動作を開始する際に、加熱部材を高温にして定着ローラを回転させながら定着可能温度まで昇温させるようになっている。
一方、待機時における定着ローラの温度を低くしすぎると、定着動作を開始すべく加熱部材で定着ローラを回転させながら定着可能温度まで昇温させる動作（ウォームアップ）に長時間を要してしまうことから、待機時における定着ローラの温度が低くなりすぎないように加熱部材で定着ローラをある程度の温度に加熱し維持するようになっている。
他方、剥離部材は定着ローラに接触または近接しているため、加熱された定着ローラの影響を受けて昇温する。
前述した従来の定着装置では、加熱部材が定着ローラの中心に配置されていたので、待機時においても、剥離部材が定着ローラによって加熱されて高温になりやすく、ウォームアップ時には、さらに定着ローラによって加熱されることから、過度に昇温しやすかった。
一方、定着ローラと加圧ローラとの圧接部を通過したばかりの記録媒体におけるトナー画像形成面のトナーは高温状態にあり完全には冷却固着されていない。このため、従来の定着装置では、記録媒体が定着ローラと加圧ローラとの圧接部を通過し、剥離部材で剥離されて案内される際、剥離部材が過剰に高温になっていることにより、記録媒体におけるトナー画像形成面が貼り付いて紙ジャム（記録媒体の詰まり）を起こしてしまうことがあった。特に、いわゆるベタ画像（全面に画像が形成されている状態）やフルカラー画像を形成した場合には、トナー量が多いことから、剥離部材に貼り付きやすく、また、ウォームアップ直後に特に貼り付きやすかった。
【０００６】
この発明の目的は、以上のような問題を解決し、紙ジャムが起こりにくい定着装置を提供することにある。
【０００７】
【課題を解決するための手段】
上記目的を達成するために本願発明の定着装置は、加熱部材を内蔵した定着ローラと、この定着ローラに圧接されて回転する加圧ローラと、前記定着ローラに対して設けられ、定着ローラと加圧ローラとの圧接部を通過してきたシート状の記録媒体を前記定着ローラの表面から剥離して案内する剥離部材とを有する装置であって、
前記定着ローラに内蔵された加熱部材が、前記定着ローラ内において、当該定着ローラの中心よりも、前記剥離部材から遠ざかる側に偏倚して設けられていることを特徴とする。
【０００８】
【作用効果】
本願発明の定着装置は、加熱部材を内蔵した定着ローラと、この定着ローラに圧接されて回転する加圧ローラと、前記定着ローラに対して設けられ、定着ローラと加圧ローラとの圧接部を通過してきたシート状の記録媒体を前記定着ローラの表面から剥離して案内する剥離部材とを有する装置であって、
前記定着ローラに内蔵された加熱部材が、前記定着ローラ内において、当該定着ローラの中心よりも、前記剥離部材から遠ざかる側に偏倚して設けられているので、この定着装置によれば、次のような作用効果が得られる。
すなわち、待機時に、加熱部材で定着ローラをある程度の温度に加熱したとしても、定着ローラに内蔵された加熱部材が、前記定着ローラ内において、当該定着ローラの中心よりも、前記剥離部材から遠ざかる側に偏倚して設けられているので、その分、剥離部材は、昇温しにくくなる。
したがって、記録媒体が定着ローラと加圧ローラとの圧接部を通過し、剥離部材で剥離されて案内される際、剥離部材が過剰に高温になってしまっているということが防止され、記録媒体におけるトナー画像形成面が剥離部材に貼り付きにくくなり、結果として、紙ジャムが生じにくくなる。
なお、加熱部材が、定着ローラ内において、当該定着ローラの中心よりも、剥離部材から遠ざかる側に偏倚して設けられていても、ウォームアップ動作は、定着ローラを回転させながらなされるので、加熱部材が偏倚していることによる悪影響は殆ど生じない。
【０００９】
【発明の実施の形態】
以下、本発明の実施の形態について図面を参照して説明する。
図１は本発明に係る定着装置の一実施の形態を示す概略図（定着ローラの軸線方向から見た図）でである。
この実施の形態の定着装置は、加熱部材であるヒータ６０が内蔵され、図示しない駆動機構により回転駆動される定着ローラ６１と、この定着ローラ６１に圧接されて回転する加圧ローラ６２と、定着ローラ６１に対し近接して設けられ、定着ローラ６１と加圧ローラ６２との圧接部Ｎを矢印Ｐで示すように通過してきたシート状の記録媒体（図示せず）を定着ローラ６１の表面から剥離させかつ案内する剥離部材７０とを有している。
なお、この定着装置は、ローラ６１，ローラ６２にオイルを塗布しないオイルレスの定着器で構成してある。
【００１０】
ヒータ６０は、定着ローラ６１内において、当該定着ローラ６１の中心Ｏよりも、剥離部材７０から遠ざかる側に偏倚して設けられている。図示のものの場合、中心Ｏを通る線Ｌよりも下方に偏倚させる。
剥離部材７０は、支持部材７５で支持されており、支持部材７５の両端は定着装置の図示しないフレームに取り付けられている。
【００１１】
以上のような定着装置は、加熱部材６０を内蔵し、回転駆動される定着ローラ６１と、この定着ローラ６１に圧接されて回転する加圧ローラ６２と、定着ローラ６１に対して設けられ、定着ローラ６１と加圧ローラ６２との圧接部Ｎを通過してきたシート状の記録媒体を定着ローラ６１の表面から剥離して案内する剥離部材７０とを有し、定着ローラ６１に内蔵された加熱部材６０が、定着ローラ６１内において、当該定着ローラ６１の中心Ｏよりも、剥離部材７０から遠ざかる側に偏倚して設けられているので、この定着装置によれば、次のような作用効果が得られる。
すなわち、待機時に、加熱部材６０で定着ローラ６１をある程度の温度に加熱したとしても、定着ローラ６１に内蔵された加熱部材６０が、定着ローラ６１内において、当該定着ローラ６１の中心Ｏよりも、剥離部材７０から遠ざかる側に偏倚して設けられているので、その分、剥離部材７０は、昇温しにくくなり、特にウォームアップ直後の過剰な昇温が防止される。
したがって、記録媒体が定着ローラ６１と加圧ローラ６２との圧接部Ｎを通過し、剥離部材７０で剥離されて案内される際、剥離部材７０が過剰に高温になってしまっているということが防止され、記録媒体におけるトナー画像形成面が剥離部材７０に貼り付きにくくなり、結果として、紙ジャムが生じにくくなる。
なお、加熱部材６０が、定着ローラ６１内において、当該定着ローラ６１の中心Ｏよりも、剥離部材７０から遠ざかる側に偏倚して設けられていても、ウォームアップ動作は、定着ローラ６１を回転させながらなされるので、加熱部材６０が偏倚していることによる悪影響は殆ど生じない。
【００１２】
以上、本発明の実施の形態について説明したが、本発明は上記の実施の形態に限定されるものではなく、本発明の要旨の範囲内において適宜変形実施可能である。
【００１３】
【図面の簡単な説明】
【図１】本発明に係る定着装置の一実施の形態を示す概略図。
【符号の説明】
６０  ヒータ（加熱部材）、６１  定着ローラ、６２  加圧ローラ、Ｎ  圧接部、７０  剥離部材。
【図１】
2004184456.tif 000003